(57)【要約】【課題】  蓄積した番組の消去を好適に行うことができる構成を実現する。【解決手段】  所定の期間に蓄積装置に蓄積する予定の放送番組を決定するステップと、前記蓄積装置に蓄積された放送番組のうち、所定の期間に消去する予定の放送番組を決定するステップと、前記蓄積する予定の放送番組と、前記消去する予定の放送番組の情報とを同時に表示するための信号を発生するステップとを有する。【選択図】          図１
2005198260.tif 000002
【特許請求の範囲】
【請求項１】
信号発生方法であって、
所定の期間に蓄積装置に蓄積する予定の放送番組を決定するステップと、
前記蓄積装置に蓄積された放送番組のうち、所定の期間に消去する予定の放送番組を決定するステップと、
前記蓄積する予定の放送番組の情報と、前記消去する予定の放送番組の情報とを同時に表示するための信号を発生するステップとを有する信号発生方法。
【請求項２】
前記蓄積する予定の放送番組を決定するステップは、前記蓄積装置のユーザーによる設定及び／又は前記ユーザーによる設定の履歴に基づいて行われる請求項１記載の信号発生方法。
【請求項３】
前記消去する予定の放送番組を決定するステップは、前記蓄積装置のユーザーによる設定、前記ユーザーによる設定の履歴及び前記蓄積装置に蓄積された前記放送番組の再生履歴の少なくともいずれかに基づいて行われる請求項１記載の信号発生方法。
【請求項４】
信号発生方法であって、
蓄積装置に蓄積された放送番組を消去する予定の日もしくは時刻もしくはその両方を決定するステップと、
前記放送番組を消去する予定の日もしくは時刻もしくはその両方を表示するための信号を発生するステップとを有する信号発生方法。
【請求項５】
前記放送番組を消去する予定の日もしくは時刻もしくはその両方を変更するステップを更に有する請求項４記載の信号発生方法。
【請求項６】
消去する予定の前記放送番組は、前記蓄積装置に蓄積された複数の放送番組の中から消去する予定の放送番組として選択されたものであり、
前記選択された放送番組の消去予定を変更するステップを更に有する請求項４記載の信号発生方法。
【請求項７】
信号発生のためのプログラムであって、
所定の期間に蓄積装置に蓄積する予定の放送番組を決定するステップと、
前記蓄積装置に蓄積された放送番組のうち、所定の期間に消去する予定の放送番組を決定するステップと、
前記蓄積する予定の放送番組の情報と、前記消去する予定の放送番組の情報とを同時に表示するための制御信号を発生するステップとを実行するためのプログラム。
【請求項８】
信号発生のためのプログラムであって、
蓄積装置に蓄積された放送番組を消去する予定の日もしくは時刻もしくはその両方を決定するステップと、
前記放送番組を消去する予定の日もしくは時刻もしくはその両方を表示するための制御信号を発生するステップとを実行するためのプログラム。
【請求項９】
放送番組を蓄積する蓄積装置であって、
前記放送番組を蓄積する蓄積デバイスと、
所定の期間に前記蓄積デバイスに蓄積する予定の放送番組を決定し、且つ、前記蓄積する予定の放送番組の情報と、前記消去する予定の放送番組の情報とを同時に表示するための制御信号を発生する制御回路とを有する蓄積装置。
【請求項１０】
放送番組を蓄積する蓄積装置であって、
前記放送番組を蓄積する蓄積デバイスと、
前記蓄積デバイスに蓄積された放送番組を消去する予定の日もしくは時刻もしくはその両方を決定する制御回路とを有する蓄積装置。
【請求項１１】
表示装置であって、
所定の期間に蓄積デバイスに蓄積する予定の放送番組を決定し、前記蓄積デバイスに蓄積された放送番組のうち、所定の期間に消去する予定の放送番組を決定し、且つ、前記蓄積する予定の放送番組と、前記消去する予定の放送番組の情報とを同時に表示するための制御信号を発生する制御回路と、
前記制御信号に基づく表示を行う表示デバイスとを有する表示装置。
【請求項１２】
表示装置であって、
蓄積デバイスに蓄積された放送番組を消去する予定の日もしくは時刻もしくはその両方を決定する制御回路と、
前記放送番組を消去する予定の日もしくは時刻もしくはその両方を表示する表示デバイスとを有する表示装置。
【発明の詳細な説明】
【技術分野】
【０００１】
本発明は、複数の放送番組を蓄積する蓄積装置に関する。
【背景技術】
【０００２】
番組を録画するためのメディアとして、近年、ＶＨＳやＤＶＤに加えてハードディスクを使用する蓄積装置が増えてきている。ハードディスクは、ランダムなアクセスが可能であり、デジタル信号で入力した場合に画質の劣化がないことが特徴として挙げられる。また、録画と再生を同時に行うことが可能であるため、視聴番組の一時停止や追っかけ再生など、視聴者に時間的な制限を緩和する新たな視聴方法を提供することができる。更に、ハードディスクは、年々大容量化が進んでおり、録画できる番組数も増えてきている。近いうちに数百ＧＢの容量のハードディスクを有する蓄積装置が実用化される可能性がある。
【０００３】
ＢＳ及びＣＳ放送がデジタル化され、番組数が増加している現状では、視聴者によって興味のある番組を見逃す機会が増えてくる。ハードディスクを有する蓄積装置には、興味のある番組の見逃しを防止するために、視聴者にキーワードを登録させ、かかるキーワードと一致する番組関連情報を有する番組を自動的に録画する機能を有するものもある（例えば、特許文献１参照。）。番組関連情報は、放送データ又はインターネットを介して取得する。このような機能は、大容量のハードディスクがあって始めて有効な機能として発揮され、ハードディスクの大容量化が進むことによって、視聴者の興味のある番組を逃さずに録画することが可能となる。
【０００４】
また、放送信号を記録する記録装置として、蓄積部の空き領域が少なくなった場合に、削除候補リストをユーザー毎に提示する構成を有するものも開示されている（例えば、特許文献２参照。）。
【特許文献１】特開２０００−１５５９９７号公報
【特許文献２】特開２００３−２５９２８４号公報
【発明の開示】
【発明が解決しようとする課題】
【０００５】
本願は、蓄積した番組の消去に関する好適な構成を提供することを目的とする発明を開示する。
【課題を解決するための手段】
【０００６】
本願に係わる発明の一つは、信号発生方法であって、所定の期間に蓄積装置に蓄積する予定の放送番組を決定するステップと、前記蓄積装置に蓄積された放送番組のうち、所定の期間に消去する予定の放送番組を決定するステップと、前記蓄積する予定の放送番組の情報と、前記消去する予定の放送番組の情報とを同時に表示するための信号を発生するステップとを有する信号発生方法である。
【０００７】
ここで、前記蓄積する予定の放送番組を決定するステップは、前記蓄積装置のユーザーによる設定及び／又は前記ユーザーによる設定の履歴に基づいて行われる構成を好適に採用できる。
【０００８】
また、前記消去する予定の放送番組を決定するステップは、前記蓄積装置のユーザーによる設定、前記ユーザーによる設定の履歴及び前記蓄積装置に蓄積された前記放送番組の再生履歴の少なくともいずれかに基づいて行われる構成を好適に採用できる。
【０００９】
また、本願に係わる発明の一つは、信号発生方法であって、蓄積装置に蓄積された放送番組を消去する予定の日もしくは時刻もしくはその両方を決定するステップと、前記放送番組を消去する予定の日もしくは時刻もしくはその両方を表示するための信号を発生するステップとを有する信号発生方法である。
【００１０】
ここで、前記放送番組を消去する予定の日もしくは時刻もしくはその両方を変更するステップを更に有する構成を好適に採用できる。
【００１１】
また、消去する予定の前記放送番組は、前記蓄積装置に蓄積された複数の放送番組の中から消去する予定の放送番組として選択されたものであり、前記選択された放送番組の消去予定を変更するステップを更に有する構成を好適に採用できる。なお、消去予定を変更する、とは消去予定を中止すること、消去予定日もしくは消去予定時刻もしくは消予定日時を変更することを含む。
【００１２】
また、本願に係わる発明の一つは、信号発生のためのプログラムであって、所定の期間に蓄積装置に蓄積する予定の放送番組を決定するステップと、前記蓄積装置に蓄積された放送番組のうち、所定の期間に消去する予定の放送番組を決定するステップと、前記蓄積する予定の放送番組の情報と、前記消去する予定の放送番組の情報とを同時に表示するための制御信号を発生するステップとを実行するためのプログラムである。
【００１３】
また、本願に係わる発明の一つは、信号発生のためのプログラムであって、蓄積装置に蓄積された放送番組を消去する予定の日もしくは時刻もしくはその両方を決定するステップと、前記放送番組を消去する予定の日もしくは時刻もしくはその両方を表示するための制御信号を発生するステップとを実行するためのプログラムである。
【００１４】
また、本願に係わる発明の一つは、放送番組を蓄積する蓄積装置であって、前記放送番組を蓄積する蓄積デバイスと、所定の期間に前記蓄積デバイスに蓄積する予定の放送番組を決定し、且つ、前記蓄積する予定の放送番組の情報と、前記消去する予定の放送番組の情報とを同時に表示するための制御信号を発生する制御回路とを有する蓄積装置である。
【００１５】
また、本願に係わる発明の一つは、放送番組を蓄積する蓄積装置であって、前記放送番組を蓄積する蓄積デバイスと、前記蓄積デバイスに蓄積された放送番組を消去する予定の日もしくは時刻もしくはその両方を決定する制御回路とを有する蓄積装置である。
【００１６】
また、本願に係わる発明の一つは、表示装置であって、所定の期間に蓄積デバイスに蓄積する予定の放送番組を決定し、前記蓄積デバイスに蓄積された放送番組のうち、所定の期間に消去する予定の放送番組を決定し、且つ、前記蓄積する予定の放送番組と、前記消去する予定の放送番組の情報とを同時に表示するための制御信号を発生する制御回路と、前記制御信号に基づく表示を行う表示デバイスとを有する表示装置である。
【００１７】
また、本願に係わる発明の一つは、表示装置であって、蓄積デバイスに蓄積された放送番組を消去する予定の日もしくは時刻もしくはその両方を決定する制御回路と、前記放送番組を消去する予定の日もしくは時刻もしくはその両方を表示する表示デバイスとを有する表示装置である。
【発明の効果】
【００１８】
本発明によれば、蓄積した番組の消去に関する好適な構成を実現することができる。
【発明を実施するための最良の形態】
【００１９】
以下、本発明の実施する形態の例を示す。なお、ここで示す実施形態では、キーワードに応じて自動的な録画を行う構成を採用しており、特に、以下に示す具体的な課題を考慮している。
【００２０】
一つ目は、視聴者にとってキーワードを設定することが煩わしいということである。設定したキーワードが適当なものであれば、視聴者の望む番組のみを録画することができるが、設定したキーワードが適当でない場合には、キーワードの設定を繰り返すことが必要となるからである。
【００２１】
二つ目に、ハードディスクの有効活用がしづらいということである。設定したキーワードによっては、不要な番組を多数録画してしまい、短期間でハードディスクの許容量の上限に達してしまう。ハードディスクの許容量の上限に達した場合には、新たな番組を録画するために蓄積装置に録画した番組を消去しなければならない。番組を消去する方法としては、例えば、ハードディスクの許容量が上限に達した時点で録画を中止する方法や、録画日時の古い順に消去していく方法がある。これらの方法では、視聴者が視聴したい番組を録画できない、或いは、蓄積済みの視聴したい番組を消去してしまう可能性がある。また、他の方法として、蓄積済みの番組毎に消去の可否を設定し、消去可能な番組のみを自動的に消去していく方法も考えられる。しかし、かかる方法は、番組毎に消去の可否を設定しなければならないという新たな課題を残してしまう。
【００２２】
三つ目に、同一のキーワードで長期録画を行うと、視聴又は再生するまで、記録装置に新たに録画された番組が何であるかを把握しづらくなることがある。これは、視聴者が意図していた番組が録画されているかを保証できないことになる。
【００２３】
そこで、以下に記載する実施形態の例では、簡易な設定作業でありながら、事前に蓄積及び消去される番組を把握することができ、ハードディスクの効率的な利用を可能とする蓄積方法及び装置を示している。
【００２４】
本発明の一実施形態例としての蓄積方法は、複数の放送番組を蓄積装置に自動的に蓄積する蓄積方法であって、所定の期間に蓄積する前記放送番組の蓄積スケジュールを作成するステップと、前記蓄積装置に蓄積された前記放送番組のうち、前記所定の期間と同一の期間に消去する前記放送番組の消去スケジュールを作成するステップと、前記蓄積スケジュール及び前記消去スケジュールを所定のタイミングで提示するステップと、前記提示ステップで提示された前記蓄積スケジュール及び前記消去スケジュールの内容を変更するステップと、前記変更ステップで変更された前記内容を基に、前記消去スケジュールを再作成するステップとを有することを特徴とする。
【００２５】
本発明の別の実施形態例としての蓄積装置は、複数の放送番組を蓄積装置に自動的に蓄積する蓄積装置であって、前記複数の放送番組に関連する情報である番組関連情報を蓄積する番組関連情報蓄積部と、前記複数の放送番組の録画及び再生に関する情報である操作情報及び前記番組関連情報に基づいて、前記複数の放送番組の蓄積及び再生に関連する履歴を操作履歴情報として保持する操作履歴管理部と、前記操作履歴情報を分析し、プロファイル情報を生成すると共に、所定の時間に蓄積する前記複数の放送番組のリストである蓄積スケジュール及び蓄積された前記複数の放送番組のうち消去する放送番組のリストである消去スケジュールを生成するプロファイル生成部と、前記蓄積スケジュール及び前記消去スケジュールを所定のタイミングで表示するように管理するスケジュール管理部とを有することを特徴とする。
【００２６】
本発明の更なる目的又はその他の特徴は、以下、添付図面を参照して説明される好ましい実施例によって明らかにされるであろう。
【００２７】
以下、添付図面を参照して、本発明の好適な実施の形態について説明する。なお、各図において、同一の部材については同一の参照番号を付し、重複する説明は省略する。図１は、本発明の一側面としての蓄積装置１０の構成を示すブロック図である。
【００２８】
蓄積装置１０は、蓄積デバイスである番組蓄積部１０７を有する蓄積装置である。また、蓄積装置１０は、表示デバイスである表示部１０４を有する表示装置でもある。表示部１０４としては、ＣＲＴやプラズマディスプレイパネルや液晶表示パネルや電界放出素子を配列した表示パネルなどを用いることができる。蓄積装置１０は、スケジュール管理部１０５や操作履歴管理部１０９などからなる制御回路を有している。蓄積装置１０は、受信部１０２を介して、デジタル放送、或いは、アナログ放送の受信が可能である。蓄積装置１０は、受信部１０２を介して、デジタル放送、或いは、アナログ放送の受信が可能である。蓄積装置１０は、放送データ中に番組に関する情報（以下、「番組関連情報９０３」と称する。）が多重化されている場合、受信部１０２を介して番組関連情報９０３を受信する。番組関連情報９０３とは、例えば、ＢＳデジタル放送データ内に多重化されて送信されるＳＩ（Ｓｅｒｖｉｃｅ  Ｉｎｆｏｒｍａｔｉｏｎ）情報と同等のものである。本実施形態では、ＳＩ情報以外の情報として、番組開始時間や番組の総容量なども番組関連情報９０３として含む。
【００２９】
受信部１０２を介して受信した番組（以下、「番組コンテンツ９０４」と称する。）や番組関連情報９０３は、番組蓄積装置１０内の番組蓄積部１０７及び番組関連情報蓄積部１０８に、それぞれ蓄積される。番組蓄積部１０７は、本実施形態では、ハードディスクとしているが、それに限ったことではない。同様に、番組関連情報蓄積部１０８は、本実施形態では、半導体メモリとしているが、それに限ったことではない。
【００３０】
番組蓄積装置１０は、モデム１０３を有する。番組関連情報９０３は、インターネット上の特定のサイトに存在することもあり、その場合は、モデム１０３を介してインターネットに接続し、番組関連情報９０３をダウンロードする。モデム１０３を介して取得した番組関連情報９０３も、上述したのと同様に、番組関連情報蓄積部１０８に蓄積される。
【００３１】
ここで、視聴者が通常の録画を行う場合、視聴者は図示しないリモコンを用いて設定を行う。また、リモコンの代わりに、キーボードやマウスを用いてもよい。視聴者が番組の録画予約を行うと、それは操作情報９０２として、リモコン入力部１０１を介して蓄積管理部１０６に伝えられる。操作情報９０２には、録画関連の情報以外に、番組蓄積部１０７に蓄積された番組の再生を指示する情報も含まれる。また、番組蓄積装置１０が、通常のテレビ視聴機能を有している場合には、操作情報９０２として、選局を指示する情報も含まれる。
【００３２】
蓄積管理部１０６は、リモコン入力部１０１から操作情報９０２を受け取り、受け取った操作情報９０２が録画予約の情報であった場合、指定された時間になると、該当するチャンネルの受信を受信部１０２に依頼すると共に、受信した番組コンテンツ９０４に所定の処理を行った後、番組蓄積部１０７に蓄積する。所定の処理とは、例えば、入力フォーマットの変換処理や画像処理などを指す。番組蓄積部１０７に、番組コンテンツ９０４を蓄積する容量がない場合は、その趣旨を視聴者に伝えるか、或いは、番組蓄積部１０７に蓄積されている番組を消去する。
【００３３】
視聴者が蓄積された番組コンテンツ９０４の再生を行う場合には、再生を指示する操作情報９０２がリモコン入力部１０１を介して蓄積管理部１０６に伝えられる。蓄積管理部１０６は、操作情報９０２を受け取ると、番組蓄積部１０７に蓄積されている該当する番組を表示部２０４に渡し、表示を行う。なお、図１においては、表示部１０４を蓄積装置１０の一部として図示してあるが、表示部１０４は外部装置であってもよい。表示部１０４が外部装置である場合、番組蓄積装置１０は、表示部１０４への出力インターフェースを有することになる。
【００３４】
操作履歴管理部１０９は、操作情報９０２と、番組関連情報蓄積部１０８に蓄積された番組関連情報９０３を基に、視聴者の録画履歴及び蓄積された番組コンテンツ９０４の再生履歴（以下、「操作履歴情報９０５」と称する）を保持及び管理する。
【００３５】
プロファイル生成部１１１は、操作履歴管理部１０９に保持されている操作履歴情報９０５から、視聴者の嗜好を分析したプロファイル情報を生成する。同時に、ある特定の時間帯を指定されると、番組関連情報蓄積部１０８から、該当する番組関連情報９０３を抜き出し、生成したプロファイル情報を基に、視聴者に対してお勧めの番組リストを生成する。かかる番組リストは、指定された時間帯の中の番組がお勧め順に並べられている。また同時に、ある時間帯を指定されると、番組情報蓄積部１０８から、番組蓄積部１０７に蓄積されている番組コンテンツ９０４群から指定された時間帯に該当する番組を抜き出し、その消去リストを生成する。
【００３６】
ユーザー設定情報管理部１１０は、視聴者による設定情報（以下、「ユーザー設定情報９０１」と称する。）を管理する。ユーザー設定情報９０１は、番組蓄積装置１０に対して視聴者が行う様々な設定情報が含まれる。これらの情報は、図１に示したように、視聴者のリモコン操作により、ユーザー設定情報９０１としてリモコン入力部１０１を介して、ユーザー設定情報管理部１１０に伝えられる場合もあれば、番組蓄積装置１０に設定用の入力ボタンを設置し、かかる入力ボタンを介して、ユーザー設定情報９０１としてユーザー設定情報管理部１１０に伝えられる場合もある。
【００３７】
スケジュール管理部１０５は、ある期間の蓄積スケジュール及び消去スケジュール（以下、「スケジュール情報９０９」と称する。）を作成する。スケジュールを作成する際、スケジュール管理部１０５は、まず、ユーザー設定情報管理部１１０からスケジュール設定情報９０６を取得する。スケジュール設定情報９０６は、視聴者が設定する情報であり、スケジュール作成する際の期間や作成及び出力タイミングに関する情報である。
【００３８】
スケジュール管理部１０５は、ユーザー設定情報管理部１１０からスケジュール設定情報９０６を取得すると、スケジュール設定情報９０６によって指定されたタイミングで、スケジュール情報９０９の作成を開始する。
【００３９】
スケジュール情報９０９の一つである蓄積スケジュールの作成は、プロファイル生成部１１１に対して、スケジュール設定情報９０６によって指定されたある時間帯の番組群の中から、お勧め番組を抽出してもらうことで行う。かかる番組群の情報は、番組関連情報蓄積部１０８に蓄積されている。
【００４０】
また、スケジュール情報９０９の一つである消去スケジュールの作成は、プロファイル生成部１１１に対して、番組群の中から、スケジュール管理部１０５が指定した番組容量に相当する消去候補番組を抽出してもらうことで行う。かかる番組群は、番組蓄積部１０７に蓄積されている。
【００４１】
スケジュール管理部１０５は、番組容量を求めるために、蓄積管理部１０６に対して、番組蓄積部１０７の残りの容量（以下、「蓄積情報９１０」と称する。）を問いただすことがある。また、スケジュール管理部１０５は、スケジュール情報９０９を提示した後、視聴者からの変更や確認のための情報（以下、「スケジュール操作情報９０８」と称する。）を受け取る。
【００４２】
スケジュール情報９０９が、表示部１０４を介して視聴者に提示される場合は、スケジュール操作情報９０８は、リモコン入力部１０１を介して、スケジュール管理部１０５に送られる。スケジュール情報９０９を視聴者に提示し、確認が行われ、スケジュールが確定した場合、スケジュール管理部１０５は、スケジュール情報９０９に従って、蓄積管理部１０６に対して、番組の蓄積及び消去の依頼を出していく。蓄積及び消去を行っている最中に、視聴者によるスケジュール変更又は番組延長によるスケジュールが生じた場合、スケジュール管理部１０５は、上述したのと同様に、スケジュール情報の再作成を行う。
【００４３】
次に、蓄積装置１０による番組蓄積処理について説明する。図２は、本発明の一側面としての番組蓄積処理を示すフローチャートである。かかる番組蓄積処理は、スケジュール作成処理（ステップＳ２０１）、スケジュール提示処理（ステップＳ２０２）及びスケジュール再作成処理（ステップＳ２０４）に分けられる。
【００４４】
図３は、図２に示すステップＳ２０１のスケジュール作成処理の詳細を示すフローチャートである。スケジュール管理部１０５は、スケジュールを作成するに当たって、まず、ユーザー設定情報管理部１１０から、スケジュール設定情報９０６を取得し（ステップＳ３０１）、スケジュール設定情報９０６から、スケジュールの期間や作成するタイミングを知る。そして、作成タイミングになると、プロファイル生成部１１１に対して、特定時刻のお勧め番組のリストを要求する。プロファイル生成部１１１は、かかる要求に応じて、視聴者の嗜好を分析したプロファイル情報を基に、番組関連情報蓄積部１０８に蓄積されている番組関連情報９０３の中からお勧めの番組を抽出しリスト化して、スケジュール管理部１０５に渡す（ステップＳ３０２）。
【００４５】
スケジュール管理部１０５は、取得したリストより特定時刻の蓄積番組候補を決定する（ステップＳ３０３）。候補の数は、スケジュール設定情報９０６によって設定される。また、候補の数は、番組蓄積装置１０が同時に蓄積できる番組数が最大となる。通常、蓄積番組候補は、リスト中で最も推薦されている番組順に決まっていく。リストに推薦番組が一つもない場合は、蓄積番組候補はゼロとなる。
【００４６】
ステップＳ３０３において、特定時刻の蓄積番組候補が決定すると、スケジュール管理部１０５は、蓄積管理部１０６に対して、特定時刻での番組蓄積部１０７の蓄積可能な容量を問い合わせる（ステップＳ３０４）。蓄積可能な容量が、蓄積番組候補を蓄積するのに十分な容量である場合には、スケジュールの終了確認を行う（ステップＳ３０８）。ステップＳ３０８において、スケジュール作成処理が、スケジュール設定情報９０６に設定されたスケジュール期間まで終了した場合は、スケジュール提示処理（ステップＳ２０２）に移る。
【００４７】
スケジュール作成処理が、スケジュール設定情報９０６に設定されたスケジュール期間まで終了していない場合は、ステップＳ３０２に戻り、上述したスケジュール作成処理を繰り返す。その際、ステップＳ３０３にて決定した蓄積番組が終了する時刻が、新たな特定時刻となる。
【００４８】
ステップＳ３０４において、蓄積可能な容量が、蓄積番組候補を蓄積するのに十分な容量でない場合、スケジュール管理部１０５は、プロファイル生成部１１１に対して、特定時刻の消去番組リストを要求する。プロファイル生成部１１１は、特定時刻の消去番組リストの要求に応じて、視聴者の嗜好を分析したプロファイル情報を基に、番組蓄積部１０７に蓄積されている番組コンテンツ９０４の中から、特定時刻での消去対象として薦められる番組をリスト化して、スケジュール管理部１０５に渡す（ステップＳ３０５）。
【００４９】
スケジュール管理部１０５は、消去番組リストを取得すると、蓄積に必要な容量に応じた消去候補の選定を行う（ステップＳ３０６）。通常、消去候補は、リスト中で消去対象として最も推薦されている番組順に決まっていく。選定される消去候補の数は、必要な蓄積容量に応じて変化する。ステップＳ３０６において消去候補の選定が終了すると、選定された消去候補に消去時刻を割り当てる（ステップＳ３０７）。なお、消去する日と時刻の両方を割り当ててもよく、また消去する日のみを割り当ててもよい。消去時刻は、特定時刻から蓄積番組が終了するまでの間の時刻が割り当てられる。ステップＳ３０７において、消去時刻の割り当てが終了すると、ステップＳ３０８においてスケジュールの終了確認（ステップＳ３０８）に移り、上述と同様の処理が行われる。
【００５０】
図４は、図２に示すステップＳ２０２のスケジュール提示処理の詳細なフローチャートである。上述したように、蓄積スケジュール及び消去スケジュールの作成が終了すると、スケジュール管理部１０５は、スケジュール設定情報９０６に設定されている出力形態に応じた処理を行う（ステップＳ４０１）。例えば、スケジュールのデータを出力形態毎の提示フォーマットに変換する。その後、スケジュール設定情報９０６で指定された出力タイミングになると、かかる出力形態にて、蓄積スケジュール及び消去スケジュールの提示を行う（ステップＳ４０２）。
【００５１】
蓄積スケジュールＳＫ及び消去スケジュールＤＫを提示した一例を図５に示す。図５に示す蓄積スケジュールＳＫ及び消去スケジュールＤＫは、出力形態として、テレビ画面を想定している例である。受信用のチューナーは一つのみとし、蓄積スケジュールＳＫ及び消去スケジュールＤＫを同時に提示してある。本実施形態では、画面に向かって左側に録画スケジュールＳＫを提示し、右側に消去スケジュールＤＫを提示した。
【００５２】
視聴者はリモコンを使用して図５に示す画面の操作を行う。図５ではリモコンのフォーカスがある部分を線幅の太い印で示した。視聴者は蓄積スケジュールＳＫを確認して、蓄積してほしくない番組がある場合は、取り消しの操作を行う。図５では、蓄積予定であった番組を取り消すと、蓄積予定の印（有色の印）ＡＰが蓄積取り消しの印（色無の印）ＣＰに変化する。
【００５３】
また、視聴者は、消去スケジュールＤＫをみて、消去したくない番組、或いは、消去する予定時間を変えたい場合は、取り消しの操作を行う。図５では、消去予定であった番組を変更すると、消去予定の印（有色の印）ＡＰが消去取り消しの印（色無の印）ＣＰに変化する。
【００５４】
その後、スケジュールの変更を確定させるために「次へ」ボタンＮＢを押す。変更の必要がない場合は、何も操作せずに「次へ」ボタンＮＢを押す。「次へ」ボタンＮＢが押されると、一旦スケジュール提示処理は終了し、蓄積スケジュールＳＫ及び消去スケジュールＤＫの変更確認を行う（ステップＳ２０３）。
【００５５】
なお、図５において、視聴者が希望する蓄積番組、或いは、消去番組がない場合は、「検索」ボタンＳＢを押す。「検索」ボタンＳＢを押すと、蓄積番組のサブ候補、或いは、消去番組のサブ候補が提示される（ステップＳ４０３）。蓄積番組のサブ候補ＳＳＫ及び消去番組のサブ候補ＳＤＫを提示した一例を図６に示す。蓄積番組のサブ候補ＳＳＫは、スケジュール作成処理のステップＳ３０２において作成した蓄積番組リストになる。同様に、消去番組のサブ候補ＳＤＫは、スケジュール作成処理のステップＳ３０５において作成した消去番組のリストになる。これらサブ候補は、図５のフォーカスが示している蓄積番組、或いは、消去番組によって変化する。
【００５６】
視聴者は、図６において、蓄積番組の変更、或いは、消去番組の追加を行う。操作方法は、図５を用いて説明したのと同様である。図６において、変更を行い「次へ」ボタンＮＢを押すと、変更が反映されてステップＳ４０２に戻る。このとき、蓄積番組を変更した場合は、重複する時間帯にある蓄積番組は提示されなくなる。一方、消去番組を追加した場合、重複する時間帯にある消去番組は、そのまま提示されてもよい。
【００５７】
なお、図６で示した蓄積番組のサブ候補ＳＳＫ及び消去番組のサブ候補ＳＤＫの中にも希望する番組がない場合は、「詳細検索」ボタンＳＢ’を押す。「詳細検索」ボタンＳＢ’が押されると、今後放映される番組コンテンツ９０４と、既に番組蓄積部１０７に蓄積されている番組コンテンツ９０４を検索できる図示しない「詳細検索」用の画面に遷移する。
【００５８】
上述したように、ステップＳ４０２において、スケジュール提示処理が終了すると、蓄積スケジュール及び消去スケジュールの変更確認を行う（ステップＳ２０３）。ステップＳ２０３において、蓄積スケジュール及び消去スケジュールの変更がない場合は、両スケジュールを確定させ、その後、蓄積スケジュールに従った番組コンテンツ９０４の蓄積と、消去スケジュールに従った番組蓄積部１０７内の番組コンテンツ９０４の消去を行う。
【００５９】
ステップＳ２０３において、スケジュールの変更がある場合は、スケジュール再作成処理を行う（ステップＳ２０４）。スケジュール再作成処理は、スケジュール提示処理を通して視聴者が変更した内容に対して、スケジュールの整合性をとるための処理である。変更されたスケジュールに従うと、番組蓄積部１０７の容量不足により蓄積予定の番組が蓄積できない場合は、自動的に消去スケジュールの再作成を行う。
【００６０】
図７は、図２に示すステップＳ２０４のスケジュール再作成処理の詳細なフローチャートである。まず、スケジュール管理部１０５は、視聴者によって追加された消去番組候補がないか確認する（ステップＳ５０１）。追加された消去番組がある場合は、その消去番組を消去する（ステップＳ５０２）。追加された消去番組がない場合は、ステップＳ５０２は省略する。
【００６１】
次に、蓄積スケジュール中の個々の蓄積番組の変更確認を行う（ステップＳ５０３）。図５において提示した蓄積番組と変更がない場合は、それに対応する消去スケジュール中の消去番組の変更確認を行う（ステップＳ５０４）。対応する消去番組も図５において提示した番組と変更がない場合は、スケジュール再作成処理の終了確認を行う（ステップＳ５１２）。
【００６２】
ステップＳ５１２において、スケジュール中の全ての蓄積番組の変更確認が終了している場合は、再度スケジュール提示処理へ移る。スケジュール中の全ての蓄積番組の変更確認が終了していない場合は、ステップＳ５０３において、次の蓄積番組の変更確認を行う。ステップＳ５０４にて、対応する消去番組が消去スケジュールから取り消されている場合、番組蓄積部１０７に該当する時刻での容量を問い合わせ（ステップＳ５０７）、蓄積番組を蓄積できる容量があるか確認を行う（ステップＳ５０８）。
【００６３】
蓄積番組を蓄積できる容量がある場合は、スケジュール再作成処理の終了確認を行う（ステップＳ５１２）。蓄積番組を蓄積できる容量が十分でない場合は、新たな消去番組を選定するために、該当する時刻の消去候補リストを作成する。かかる工程は、スケジュール作成処理のステップＳ３０５以下と同様となる。
【００６４】
プロファイル生成部１１１は、スケジュール管理部１０５からの、特定時刻の消去番組リストの要求に対して、視聴者の嗜好を分析したプロファイル情報を基に、番組蓄積部１０７に蓄積されている番組コンテンツ９０４の中から、特定時刻での消去対象として薦められる番組をリスト化する（ステップＳ５０９）。
【００６５】
スケジュール管理部１０５は、消去番組リストを取得すると、蓄積に必要な容量に応じた消去候補の選定を行う（ステップＳ５１０）。消去候補の選定が終了すると、選定された消去候補に消去時刻を割り当てる（ステップＳ５１１）。消去時刻の割り当てが終了すると、ステップＳ５１２のスケジュールの終了確認のステップに移り、上述したのと同様の処理を行う。
【００６６】
ステップＳ５０３において、蓄積番組に変更があった場合は、同時刻の他の番組への変更か、或いは、蓄積を取り消しただけか確認を行う（ステップＳ５０５）。蓄積を取り消した場合は、スケジュール再作成処理の終了確認のステップＳ５１２に進み、上述したのと同様の処理を行う。同時刻の他の番組への変更の場合は、対応する消去番組の変更確認と、変更後の容量確認を行う（ステップＳ５０６）。
【００６７】
ステップＳ５０６において、対応する消去番組が取り消されている場合は、ステップＳ５０７に移り、上述したのと同様の処理を行う。同様に、ステップＳ５０６において、対応する消去番組は変更されていないが、変更された蓄積番組を蓄積するには容量が不足している場合にも、ステップＳ５０７に移り、上述したのと同様の処理を行う。ステップＳ５０６において、対応する消去番組は変更されておらず、変更された蓄積番組を蓄積する容量が十分にある場合には、スケジュール再作成処理の終了確認のステップＳ５１２に進み、上述したのと同様の処理を行う。
【００６８】
ステップＳ２０４のスケジュール再作成処理を終え、スケジュール変更に対する整合性が取られると、再度、ステップＳ２０２のスケジュール提示処理が行われる。このときに提示される消去スケジュールは、上述のスケジュール再作成処理を経て整合がとられたスケジュールが提示されるため、視聴者が意図したスケジュールとは異なる場合がある。視聴者は、再度提示画面を確認し、変更がなければスケジュールを確定させ、修正が必要ならば、上述と同様の工程を再度経る。
【００６９】
以上、蓄積装置１０による番組蓄積処理及びかかる番組蓄積処理の詳細処理であるスケジュール作成処理（ステップＳ２０１）、スケジュール提示処理（ステップＳ２０２）及びスケジュール再作成処理（ステップＳ２０３）について説明した。なお、スケジュール再作成処理は、スケジュールに従って蓄積や消去を行っている最中に、視聴者によってスケジュールの変更が行われたり、或いは、番組変更によってスケジュールの変更を余儀なくされた時にも有効である。
【００７０】
本実施形態によれば、放送番組を自動的に蓄積装置に蓄積する番組蓄積方法において、蓄積スケジュール及び消去スケジュールを作成し、実行前に視聴者に同時に提示することで、蓄積及び消去される番組を事前に容易に把握することができるようになる。また、視聴者は蓄積したい、或いは、蓄積しておきたい番組と蓄積容量との整合を取りやすくなる。更に、消去スケジュールは、蓄積された番組を不用意に消してしまうことを最小限にし、視聴者にとって重要度の低い番組を優先的に消去するように作成されるため、視聴者の設定への負担を軽減することができる。これは、蓄積装置の有効活用にもつながる。
【００７１】
更に、蓄積スケジュール及び消去スケジュールと共に、蓄積及び消去のサブ候補も提示するため、視聴者は蓄積スケジュール及び消去スケジュール中に希望する番組が含まれていない場合にも、全ての放送番組情報や蓄積された番組情報を検索する必要性が少なく、コンテンツ毎に煩わしい設定を行う労力を軽減することができる。
【００７２】
蓄積スケジュール及び消去スケジュールを提示する出力形態として、テレビ画面以外も考えられる。上述では、蓄積装置１０の表示部１０４、或いは、番組蓄積装置１０に直接接続されている表示装置を介して、蓄積スケジュール及び消去スケジュール（以下、「スケジュール情報９０９」と称する）を提示した。その他の出力形態として、視聴者の所有する携帯端末を利用することができる。
【００７３】
携帯端末を利用する場合、蓄積装置１０は、出力形態を選択する。蓄積装置１０のスケジュール管理部１０５は、スケジュール作成時に、ユーザー設定情報管理部１１０から出力方法選択情報９０６’を取得する。出力方法選択情報９０６は、スケジュール設定情報９０６と同様に視聴者が設定した情報であり、出力先が指定されている。
【００７４】
スケジュール管理部１０５は、出力方法選択情報９０６’を基に出力先を特定し、更に、スケジュール設定情報９０６で指定された出力タイミングで、スケジュール情報９０９を送信する。この時、スケジュール情報９０９は、蓄積装置１０のモデム１０３を介して送信される。携帯端末へは、メール形式で送信されるか、或いは、その他の形式で送信される。
【００７５】
視聴者（の有する携帯端末）は、スケジュール情報９０９を受信すると、スケジュール情報９０９に対する操作を行い、蓄積装置１０へ返信する。返信された場合、かかる情報はスケジュール操作情報９０８として、モデム１０３を介してスケジュール管理部１０５に伝えられる。蓄積装置１０は送信後、ある一定期間に視聴者から返信がない場合は、スケジュールを中止する。視聴者は、スケジュール情報９０９を受信後、変更する必要がない場合は、返信しない設定にすることも可能である。かかる設定の場合には、蓄積装置１０は送信後、ある一定期間に返信がない場合は、スケジュール情報９０９に従い、蓄積及び消去を実行する。
【００７６】
更に、その他の出力形態として、Ｗｅｂ端末を使用することができる。Ｗｅｂ端末を使用する場合、上述したように、蓄積装置１０は複数の出力手段を有し、視聴者の設定によって、出力形態が選択される。蓄積装置１０は、スケジュール設定情報９０６で指定された出力タイミングで、モデム１０３を介して、Ｗｅｂ上のあるサイトに作成したスケジュール情報９０９を送信する。
【００７７】
視聴者は、Ｗｅｂ端末を使用して、スケジュール情報９０９が作成されたサイトにアクセスし、スケジュール情報９０９の確認及び操作を行う。スケジュール変更の情報は、上述したのと同様に、モデム１０３を介してスケジュール管理部１０５に伝えられる。この時も蓄積装置１０に対して、送信後、ある一定期間に返信がない場合は、スケジュールを中止する。或いは、送信後、ある一定期間に返信がない場合は、スケジュール情報９０９に従い、蓄積及び消去を実行する。
【００７８】
以上のように、スケジュール情報９０９の出力形態に携帯端末やＷｅｂ端末などを用いても上述したのと同様の効果を得ることができる。なお、表示部１０４を利用する場合には、視聴者は蓄積スケジュール及び消去スケジュールを確認するために、蓄積スケジュール及び消去スケジュールを提示するタイミングに合わせて蓄積装置１０の近くにいる必要があった。また、スケジュール実行後も、スケジュールの変更を行う場合は、蓄積装置１０の近くに行く必要があった。しかし、出力形態に携帯端末やＷｅｂ端末を用いることで、上述したような制約を回避できるため、視聴者にとっては更に利便性を向上できることになる。
【００７９】
以上、本発明の好ましい実施例について説明したが、本発明はこれらの実施例に限定されないことはいうまでもなく、その要旨の範囲内で種々の変形及び変更が可能である。
【００８０】
なお、制御回路を上記説明した処理フローを実行するための専用の信号処理回路で構成することも可能であり、または上記説明した処理フローを実行するためのプログラムを記憶する記憶回路と該プログラムを実行する信号処理回路とで構成することも可能である。
【図面の簡単な説明】
【００８１】
【図１】本発明の一側面としての蓄積装置の構成を示すブロック図である。
【図２】本発明の一側面としての番組蓄積処理を示すフローチャートである。
【図３】図２に示すステップＳ２０１のスケジュール作成処理の詳細なフローチャートである。
【図４】図２に示すステップＳ２０２のスケジュール提示処理の詳細なフローチャートである。
【図５】蓄積スケジュール及び消去スケジュールを提示した一例を示す図である。
【図６】蓄積番組のサブ候補及び消去番組のサブ候補を提示した一例を示す図である。
【図７】図２に示すステップＳ２０４のスケジュール再作成処理の詳細なフローチャートである。
【符号の説明】
【００８２】
１０                  蓄積装置
１０１                リモコン入力部
１０２                受信部
１０３                モデム
１０４                表示部
１０５                スケジュール管理部
１０６                蓄積管理部
１０７                番組蓄積部
１０８                番組関連情報蓄積部
１０９                操作履歴管理部
１１０                ユーザー設定情報管理部
９０６                スケジュール設定情報
９０６’              出力方法選択情報
９０８                スケジュール操作情報
９０９                スケジュール情報
【図１】
2005198260.tif 000003
【図２】
2005198260.tif 000004
【図３】
2005198260.tif 000005
【図４】
2005198260.tif 000006
【図５】
2005198260.tif 000007
【図６】
2005198260.tif 000008
【図７】
2005198260.tif 000009